(57)【要約】      （修正有）【課題】プレーヤーに正確なコースの情報を提供すると共に、快適な空間を演出する事ができるダブルグリーン用可動式距離標示板を提供する。【解決手段】ダブルグリーン用可動式距離標示板６は、標示板距離表示部７と標示板その他情報表示部８からなり、表面に第１グリーンまので距離１０、裏面に第２グリーンまでの距離を切り替え可能としたことを特徴とする。【選択図】図３
2019022637.tif 000002
【特許請求の範囲】
【請求項１】
ゴルフコースにおいて、第１グリーンと第２グリーンを有するゴルフコースに設置するダブルグリーン用可動式距離標示板であって、第１グリーンまでの距離と第２グリーンまでの距離を示す標示板距離表示部と標示板その他情報表示部からなり、前記、標示板距離表示部の表面には第１グリーンまでの距離を表示し、裏面には第２グリーンまでの距離を表示する事を特徴とするダブルグリーン用可動式距離標示板。
【請求項２】
前記、標示板距離表示部は、前記、標示板その他情報表示部に対し着脱可能な構成とし、第１グリーン及び第２グリーンまでの距離表示を切り替え可能とした事を特徴とする請求項１記載のダブルグリーン用可動式距離標示板。
【請求項３】
ゴルフコースにおいて、第１グリーンと第２グリーンを有するゴルフコースに設置するダブルグリーン用可動式距離標示板であって、第１グリーンまでの距離を示す標示板距離可動表示部と第２グリーンまでの距離を示す標示板距離固定表示部と標示板その他情報固定表示部からなり、前記、標示板距離可動表示部と前記、標示板距離固定表示部は標示板距離表示部の可動金物により接続されており、第１グリーン及び第２グリーンまでの距離表示を切り替え可能とした事を特徴としたダブルグリーン用可動式距離標示板。
【請求項４】
ゴルフコースにおいて、第１グリーンと第２グリーンを有するゴルフコースに設置するダブルグリーン用可動式距離標示板であって、第１グリーンまでの距離を示す標示板固定部と第２グリーンまでの距離を示す両面標示板からなり、前記、標示板固定部と、前記、両面標示板は両面標示板の可動金物により接続されており、第１グリーン及び第２グリーンまでの距離表示を切り替え可能とした事を特徴としたダブルグリーン用可動式距離表示板。
【発明の詳細な説明】
【技術分野】
【０００１】  本発明は、ゴルフ場において、ティインググラウンドで、ホール番号、基準打数（パー数）及び距離表示の数値情報を表示するダブルグリーン用可動式距離標示板に関するものである。
【背景技術】
【０００２】  ターゲットであるグリーンが２つ存在するゴルフ場（ダブルグリーンのゴルフ場）は、図１のホールレイアウト１に示す様にティインググラウンド２、標示板３、第１グリーン４、第２グリーン５が設けられている。その為、ティインググラウンド２に設置してある標示板３には図２で示す様に第１グリーンまでの距離と第２グリーンまでの距離が２段併記としてなるものであった。
【先行技術文献】
【特許文献】
【０００３】
【特許文献１】実開昭５２−１０４３９７号公報
【特許文献２】実開昭５２−１０６２７２号公報
【非特許文献】
【０００４】
【非特許文献１】ストロング商事株式会社、株式会社ストロング商事ちば「２０１４年Ｃａｔａｌｏｇ  ｏｆ  Ｇｏｌｆ  Ｃｏｕｒｓｅ  Ａｃｃｅｓｓｏｒｉｅｓ」Ｐ．１５
【非特許文献２】ゴルフリンクス株式会社「２０１６年Ｓｐｅｃｉｆｉｃ  ｐｕｒｐｏｓｅ  ｔｏｏｌｓ」Ｐ．５２
【非特許文献３】ヤマグチ工芸  ｈｔｔｐ：／／ｙａｍａｇｕｃｈｉ−ｋｇ．ｃｏｍ／ｙａｒｄｓ．ｈｔｍｌ（ヤード標示板ページ：トップ）
【発明の概要】
【発明が解決しようとする課題】
【０００５】  従前の標示板はターゲットであるグリーンが２つ存在するゴルフ場（ダブルグリーンのゴルフ場）の場合において、第１グリーン（メイングリーン、主としてベントグリーン他）までの距離と第２グリーン（サブグリーン、主としてコーライグリーン他）までの距離が２段併記の表示となっていた為、ラウンドを進める度に、毎回ティインググラウンドで距離表示がどちらを指しているのか戸惑う形式となっていた。
更に、多くのゴルフ場がコーライ芝のグリーンが不人気であることから両方のグリーンをベントグリーンにしているゴルフ場も多く、益々、煩雑さが目に余るところとなっていた。【０００６】  また、１枚の板に文字情報が多くなる為、必然的にサイズが大きくなり、ゴルフコースの美観を損なう形となっていた。
この発明は、上記問題を解決する事を目的とするものである。
【課題を解決するための手段】
【０００７】  ゴルフコースにおいて、第１グリーンと第２グリーンを有するゴルフコースに設置する標示板距離表示部の表面には第１グリーンまでの距離を表示し、裏面には第２グリーンまでの距離を表示する方法を用いる。【０００８】  前記、標示板距離表示部は、前記、標示板その他情報表示部に対し着脱可能な構成とし、第１グリーン及び第２グリーンまでの距離表示を切り替え可能とする方法を用いる。【０００９】  第１グリーンまでの標示板距離表示部の部材と第２グリーンまでの標示板距離表示部の部材は標示板距離表示部の可動金物により接続されており、距離表示を変更可能とする方法を用いる。
【発明の効果】
【００１０】  上記の課題を解決するために、この発明のダブルグリーン用可動式距離標示板は、距離表示を２段の併記型表示ではなく、１枚の標示板を分割するという嘗てない方法を採用し、標示板距離表示部を可動式とし、当日の距離の案内では比較対象となる距離情報をなくし、当日使用するターゲットグリーンに対しての距離をズバリ一つで見せることで間違えようのない状態で示す事を可能としていることを特徴とするものである。【００１１】  ゴルフプレーをするにあたりコースマネージメントは欠かせないものであるが、その際に先ず重要となるのがティインググラウンドにおいてホールの全長距離を把握する事から始まる。その上でハザード及びトラップそしてグリーンコンプレックスの難易度を頭に入れ逆算的に使用クラブの選択をして、どの程度の距離を残してファーストショットを放っていくのかを決めるのである。このコースマネージメントを立ててプレーする事はゴルフの楽しさでもあり、奥深いところでもある。その様な重要な距離を誤認していたのでは、ゴルフの楽しさは半減してしまうものになる。それが故に、間違えようの無い情報のみを案内できる標示板の存在はコースマネージメントに大きく貢献するものである。【００１２】  更に、文字情報を物理的に減らす事が可能であるが故にコンパクトなサイズで必要な情報を案内する事ができる為、ゴルフコースの景観を損なわないように配慮されたものである。【００１３】  世界１００選のゴルフコースの基準にメモラビリティーという項目が存在する。これはゴルフコースの印象を指すものであり、ゴルファーがティインググラウンドに立った時の第一印象を最も重要視しなければならない。その印象を壊さない為には、その周りも含めた視覚に入る景色の演出である。その意味からも表示板の存在も疎かにはできないものであり、自然と溶け込み必要な情報のみを案内できる標示板の存在はメモラビリティーに大きく貢献するものである。【００１４】  以上、詳述したように、プレーヤーに正確なコースの情報を提供すると共に、快適な空間を演出する事ができるのである。【００１５】
【図面の簡単な説明】
【００１６】
【図１】  本発明の説明で用いるゴルフ場のホールレイアウトである。
【図２】  従来のゴルフ場用距離標示板を示す平面図である。
【図３】  本ダブルグリーン用可動式距離標示板の実施例１を示す平面図である。
【図４】  本ダブルグリーン用可動式距離標示板の実施例１の標示板距離表示部の表面と裏面の平面図である。
【図５】  本ダブルグリーン用可動式距離標示板の実施例１の標示板距離表示部の表面と裏面を入れ替えた平面図である。
【図６】  本ダブルグリーン用可動式距離標示板の実施例２を示す平面図である。
【図７】  本ダブルグリーン用可動式距離標示板の実施例２の標示板距離表示部の表面と裏面の平面図である。
【図８】  本ダブルグリーン用可動式距離標示板の実施例２の標示板距離表示部の表面と裏面を入れ替えた平面図である。
【図９】  本ダブルグリーン用可動式距離標示板の実施例３を示す平面図である。
【図１０】  本ダブルグリーン用可動式距離標示板の実施例３の標示板距離可動表示部の可動途中の平面図及び側面図である。
【図１１】  本ダブルグリーン用可動式距離標示板の実施例３の標示板距離可動表示部の表面を裏に返し表示を切り替えた平面図である。
【図１２】  本ダブルグリーン用可動式距離標示板の実施例４を示す平面図である。
【図１３】  本ダブルグリーン用可動式距離標示板の実施例４の側面図である。
【図１４】  本ダブルグリーン用可動式距離標示板の実施例４の両面標示板の表面をめくり上げ裏に返し両面標示板の固定時取っ手を用いて両面標示板の留め具金物に装着して表示を切り替えた平面図である。
【発明を実施するための形態】
【００１７】  以下、本発明のダブルグリーン用可動式距離標示板について図１〜図１４に基づいて説明する。
【実施例１】
【００１８】  本ダブルグリーン用可動式距離標示板６は、ティインググラウンド２の芝生の上に刺す事により設置する。【００１９】  図３に示した本ダブルグリーン用可動式距離標示板６は、標示板距離表示部７と標示板その他情報表示部８からなり標示板距離表示部７の表面に第１グリーンまので距離１０、裏面に第２グリーンまでの距離１１を切り替え表示可能としたものである。【００２０】  図３の表示は第１グリーンまでの距離１０となっている。当日の使用する第１グリーン４もしくは第２グリーン５を確認後、そのタッゲットに合致する距離とするべく標示板距離表示部７を抜いて表面の第１グリーンまでの距離１０を採用するか裏面の第２グリーンまでの距離１１を採用するかを判断し、標示板その他情報表示部８に刺し戻すことによりセットアップをする。【００２１】  本ダブルグリーン用可動式距離標示板６は標示板距離表示部７に装着された標示板距離表示の２本脚接続金物１２をその他情報表示部８に埋め込まれた接続金物により脱着を可能としたものであり、常に定位置に表面と裏面を差し替えられるように設計されている。【００２２】  標示板距離表示部７と標示板その他情報表示部８の素材は木材、発泡塩ビ素材、プラ擬木等の板材からなり、また、板面に記載する各種情報数字及び文字は同様の素材及びカッティングシートからなる。【００２３】  文字や線は、掘り込み加工及び木材、発泡塩ビ素材、プラ擬木等の板材による切り文字又はカッティングシートを貼り標示する様に製作する。これは、コストとの兼ね合いとなる。設置するゴルフ場の負担度合いによりその仕上げ材質をコントロールする。【００２４】  標示板距離表示部７の余白もしくは標示板その他情報表示部８の余白にホール番号、基準打数（パーの数）、ゴルフ場のロゴマーク、ゴルフ場名など記載できるような構造となっており、個々のゴルフ場の雰囲気によりデザインを考慮し配列や組み合わせを自由にできる様にしているが基本構造に変化を及ぼすものではない。【００２５】  本ダブルグリーン用可動式距離標示板６に示す情報の読み方を説明する。標示板距離表示部７には距離が記載されており、その余白にホール番号が記載されている。また、標示板その他情報表示部８には基準打数（パーの数）が記載されている。これらを読み解くと１８番ホール、パー５、５９７ヤードと読み解く事ができ、距離は第１グリーン４までの距離を示している。【００２６】  図４で示した標示板距離表示部７の表（ａ）・裏（ｂ）の下側は凹形状となっており、これに対し、標示板その他情報表示部８は凸形状となっており、すなわちテーパー上の形状により雨による腐食を防ぐ機能を備えている。【００２７】  図５で示した本ダブルグリーン用可動式距離標示板６は、第２グリーンまでの距離数１１を表示している。【００２８】  図３及び図５で示した本ダブルグリーン用可動式距離標示板６に組み付けされた距離標示板機能脚金物９はストッパーがついており、平行を保つ機能に加え、芝面との間に空間を保つことにより芝焼けを防ぐ機能を備えている。
【実施例２】
【００２９】  本ダブルグリーン用可動式距離標示板６の設置方法は実施例１と同様。【００３０】  図６に示した本ダブルグリーン用可動式距離標示板６は、標示板距離表示部７と標示板その他情報表示部８からなり標示板距離表示部７の表面に第１グリーンまので距離１０、裏面に第２グリーンまでの距離１１を切り替え表示可能としたものである。【００３１】  標示板距離表示部の１本脚接続金物１３によりそれぞれが脱着可能な構造を備えている。またこの時の図６の表示は第１グリーンまでの距離１０となっている。当日の使用する第１グリーン４もしくは第２グリーン５を確認後、そのタッゲットに合致する距離とするべく標示板距離表示部７を抜いて表面の第１グリーンまでの距離１０を採用するか裏面の第２グリーンまでの距離１１を採用するかを判断し、標示板その他情報表示部８に刺し戻すことによりセットアップをする。【００３２】  本ダブルグリーン用可動式距離標示板６は標示板距離表示部７に装着された標示板距離表示部の１本脚接続金物１３を標示板その他情報表示部８に埋め込まれた接続金物により脱着を可能としたものであり常に定位置に表面と裏面を差し替えられるように設計されている。【００３３】  標示板距離表示部７と標示板その他情報表示部８の素材及び板面に記載する各種情報数字及び文字は同様の素材は実施例１と同様である。【００３４】  文字や線の加工や材質については実施例１と同様である。【００３５】  標示板距離表示部７の余白もしくは標示板その他情報表示部８の余白の扱いについては実施例１と同様である。【００３６】  図６で示した本ダブルグリーン用可動式距離標示板６に示す情報の読み方は実施例１と同様である。【００３７】  図７で示した標示板距離表示部７の表（ａ）・裏（ｂ）の下側は凹形状となっており、これに対し、標示板その他情報表示部８は凸形状となっており、標示板距離表示部の１本脚接続金物でも標示板距離表示部７と標示板その他情報表示部８は、回転することなく定位置に納まる機能を備え、また、加えてテーパー上の形状により雨による腐食を防ぐ機能を備えている。【００３８】  図８で示した本ダブルグリーン用可動式距離標示板６は、第２グリーンまでの距離１１を表示している。【００３９】  距離標示板機能脚金物９はストッパー機能については実施例１と同様である。
【実施例３】
【００４０】  本ダブルグリーン用可動式距離標示板６の設置方法は実施例１と同様である。【００４１】  図９に示した本ダブルグリーン用可動式距離標示板６は、標示板距離可動表示部１４と標示板その他情報表示固定表示部１５と標示板距離固定表示部１７とからなり、標示板距離表示部の可動金物１６により標示板距離可動表示部１４がめくれる構造であることから標示板距離可動表示部１４の表示もしくは標示板距離表示固定表示部１７の表示を切り替え可能としたものである。【００４２】  図９の表示は第１グリーン４までの距離表示となっている。当日使用する第１グリーン４もしくは第２グリーン５を確認後、そのタッゲットに合致する距離とするべく、第１グリーンまでの距離１０が記載された標示板距離可動表示部１４を採用するか、又は標示板距離可動表示部１４をめくり第２グリーンまでの距離１１が記載された標示板距離固定表示部１７を採用するかを判断し、セットアップをする。【００４３】  図１０は、本ダブルグリーン用可動式距離標示板６の標示板距離可動表示部１４をめくり上げ可動させた時の形を示したものであり、めくり上げると標示板距離表示固定表示部１７が現れる構造に設計されている。【００４４】  標示板距離可動表示部１４とその他情報表示固定表示部１５と標示板距離固定表示部１７の素材は木材、発泡塩ビ素材、プラ擬木等の板材からなり、また、板面に記載する各種情報数字及び文字は同様の素材及びカッティングシートからなる。【００４５】  文字や線の加工や材質については実施例１と同様である。【００４６】  標示板距離可動表示部１４とその他情報表示固定表示部１５と標示板距離固定表示部１７の余白にホール番号、基準打数（パーの数）、ゴルフ場のロゴマーク、ゴルフ場名など記載できるような構造となっており、個々のゴルフ場の雰囲気によりデザインを考慮し配列や組み合わせを自由にできる様にしているが基本構造に変化を及ぼすものではない。【００４７】  図９で示した本ダブルグリーン用可動式距離標示板６に示す情報の読み方は実施例１と同様である。【００４８】  図１０で示した本ダブルグリーン用可動式距離標示板６は可動している途中の平面図（ａ）と側面図（ｂ）を図解したものであり、標示板距離可動表示部１４が前面と後面のどちらにあっても標示板その他情報表示固定表示部１５の厚みの中で納まる構造としている。【００４９】  図１１で示した本ダブルグリーン用可動式距離標示板６は、第２グリーンまでの距離１１を表示している。【００５０】  距離標示板機能脚金物９はストッパー機能については実施例１と同様である。
【実施例４】
【００５１】  本ダブルグリーン用可動式距離標示板６の設置方法は実施例１と同様である。【００５２】  図１２に示した本ダブルグリーン用可動式距離標示板６は、両面標示板２１と標示板固定部２２とからなり、両面標示板の可動金物１８により両面標示板２１がめくれる構造であることから標示板固定部２２の上段記載の第１グリーンまでの距離１０の表示もしくは両面標示板２１の裏面記載の第２グリーンまでの距離１１の表示を切り替え可能としたものである。【００５３】  図１２の表示は第１グリーン４までの距離表示となっている。当日使用する第１グリーン４もしくは第２グリーン５を確認後、そのタッゲットに合致する距離とするべく、標示板固定部２２の上段記載の第１グリーンまでの距離１０の表示面を採用するか又は第２グリーンまでの距離１１が記載された両面標示板２１の裏面を採用するかを判断し、セットアップをする。【００５４】  図１３は、本ダブルグリーン用可動式距離標示板６の両面標示板２１をめくり上げ裏面標示に切り替え、両面標示板の固定時取っ手２０を両面標示板留め具金物１９に設置した時の形を側面から示したものであり、めくり上げ設置後には両面標示板２１の裏面に記載された第２グリーンまでの距離１１が現れる構造に設計されている。【００５５】  両面標示板２１と標示板固定部２２の素材は木材、発泡塩ビ素材、プラ擬木等の板材からなり、また、板面に記載する各種情報数字及び文字は同様の素材及びカッティングシートからなる。【００５６】  文字や線の加工や材質については実施例１と同様である。【００５７】  両面標示板２１の表面と標示板固定部２２下段のその他情報の余白に、ホール番号、基準打数（パーの数）、ゴルフ場のロゴマーク、ゴルフ場名など記載できるような構造となっており、個々のゴルフ場の雰囲気によりデザインを考慮し配列や組み合わせを自由にできる様にしているが基本構造に変化を及ぼすものではない。【００５８】  図１２で示した本ダブルグリーン用可動式距離標示板６に示す情報の読み方は実施例１と同様である。【００５９】  図１４で示した本ダブルグリーン用可動式距離標示板６は、第２グリーンまでの距離１１を表示している。【００６０】  距離標示板機能脚金物９はストッパー機能については実施例１と同様である。
【産業上の利用可能性】
【００６１】  日本におけるゴルフ場数は減少傾向にあり、一般社団法人日本ゴルフ場経営者協会が公表した２０１７年１月時点の「利用税の課税状況からみたゴルフ場数」によるとピークの２４６０コースから２２９４コースまで減少している。また現存するゴルフ場の大多数がダブルグリーンのゴルフ場である。これは日本の気候を配慮して、夏グリーン（主としてコーライ芝グリーン）と冬グリーン（主としてベント芝グリーン）の２つを用意し異なる芝種で年間を通じて快適なプレーを実現する目的の為にデザインされたものである。しかしながら昨今では、芝種の品種改良が進み、夏でも耐えられるベント芝が世にでており、グリーンのクオリティが各段に向上されワングリーンへのコース改造も進んでいる。このようなもとワングリーンも増えていることからゴルフプレーヤーもワングリーンに慣れており、ダブルグリーンの距離表示には戸惑う場面が見受けられる。この発明により、いつでも当日プレーをする際の距離は一つで一瞬のうちに認識できる環境が整い、ストレスや勘違いなしでゴルフを楽しむ事ができる。この様な画期的な優れた特徴のあるゴルフ場のティインググラウンドに設置するダブルグリーン用可動式距離標示板は、ゴルフをより一層楽しめる環境を整え、減少しているゴルファー人口を下支えする上でも大変ニーズが高いものと思料されます。
【符号の説明】
【００６２】１    ホールレイアウト
２    ティインググラウンド
３    従来のゴルフ場用距離標示板
４    第１グリーン
５    第２グリーン
６    ダブルグリーン用可動式距離標示板
７    標示板距離表示部
８    標示板その他情報表示部
９    距離標示板機能脚金物
１０  第１グリーンまでの距離
１１  第２グリーンまでの距離
１２  標示板距離表示部の２本脚接続金物
１３  標示板距離表示部の１本脚接続金物
１４  標示板距離可動表示部
１５  標示板その他情報固定表示部
１６  標示板距離表示部の可動金物
１７  標示板距離固定表示部
１８  両面標示板の可動金物
１９  両面標示板の留め具金物
２０  両面標示板の固定時取っ手
２１  両面標示板
２２  標示板固定部
【図１】
2019022637.tif 000003
【図２】
2019022637.tif 000004
【図３】
2019022637.tif 000005
【図４】
2019022637.tif 000006
【図５】
2019022637.tif 000007
【図６】
2019022637.tif 000008
【図７】
2019022637.tif 000009
【図８】
2019022637.tif 000010
【図９】
2019022637.tif 000011
【図１０】
2019022637.tif 000012
【図１１】
2019022637.tif 000013
【図１２】
2019022637.tif 000014
【図１３】
2019022637.tif 000015
【図１４】
2019022637.tif 000016
【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
ゴルフコースにおいて、第１グリーンと第２グリーンを有するゴルフコースに設置するダブルグリーン用可動式距離標示板であって、第１グリーンまでの距離と第２グリーンまでの距離を示す標示板距離表示部と標示板その他情報表示部からなり、前記標示板距離表示部の表面には第１グリーンまでの距離を表示し、裏面には第２グリーンまでの距離を表示すると共に、前記標示板距離表示部の下部には脚接続金物を設け、前記標示板その他情報表示部の上部には前記脚接続金物と嵌合する埋め込み接続金物により着脱可能な構成とし、それぞれが接する面において前記標示板距離表示部の下側は凹形状とし、前記標示板その他情報表示部は凸形状としテーパー状に仕上げた雨水対策及び連結機能を備えた事により、第１グリーン及び第２グリーンまでの距離表示を切り替え可能とした事を特徴とするダブルグリーン用可動式距離標示板。
【請求項２】
前記標示板その他情報表示部は、下部に取り付けた距離標示板機能金物にストッパー部材を設けた事を特徴とする請求項１記載のダブルグリーン用可動式距離標示板。